(57)【要約】【課題】簡単な作業で柵構造用の支柱を補強できる柵構造用の支柱補強具、及び支柱補強構造、並びに支柱補強方法、を提供することを課題とする。【解決手段】中空柱状の支柱５０に挿通する軸部材５１１を有する固定構造５１を備える柵構造５の支柱５０を補強する支柱補強具１であり、軸部材５１１と支柱５０の内面との間を通じて支柱５０内に挿入可能な一対の補強部材２であって、支柱５０内での位置を、支柱５０の軸線方向、及び軸部材５１１の挿通方向のそれぞれの方向に対して直交する横方向で互いの間に間隔をあけて並ぶ第一の位置から、挿通方向、若しくは挿通方向に傾斜する方向で間隔をあけて並ぶ第二の位置に配置変更可能な一対の補強部材２と、第二の位置に配置変更された一対の補強部材２の間に挿入可能なスペーサ３と、を備える。【選択図】図２
2019218757.tif 000002
【特許請求の範囲】
【請求項１】
中空柱状であり且つ軸線方向における一端部側が埋設される複数の支柱と、
前記支柱と前記支柱に支持させる支持物とを固定するための固定構造であって、前記支柱に対して前記支柱の径方向で挿通される軸部材を有する固定構造と、を備える柵構造の前記支柱を補強する柵構造用の支柱補強具であって、
前記軸部材と前記支柱内面との間を通じて前記支柱内に挿入可能な一対の補強部材であって、前記支柱内での位置を、前記支柱の軸線方向、及び前記軸部材の挿通方向のそれぞれの方向に対して直交する横方向で互いの間に間隔をあけて並ぶ第一の位置から、前記挿通方向、若しくは前記挿通方向と前記横方向とに対して傾斜する方向で間隔をあけて並ぶ第二の位置に配置変更可能な一対の補強部材と、
前記軸部材と前記支柱内面との間を通じて、前記第二の位置に配置変更された前記一対の補強部材の間に挿入可能なスペーサと、を備える、
柵構造用の支柱補強具。
【請求項２】
前記補強部材には、該補強部材の前記支柱内への挿入方向における後方側に向かって延出する延出操作部を有する、請求項１に記載の柵構造用の支柱補強具。
【請求項３】
前記延出操作部には、前記一対の補強部材が前記第一の位置から前記第二の位置に配置変更された状態で、前記軸部材上に掛止される掛止部が設けられる、
請求項２に記載の柵構造用の支柱補強具。
【請求項４】
前記一対の補強部材の間において、前記スペーサを前記支柱の軸線方向でガイドするためのガイド構造を備える、
請求項１乃至請求項３の何れか１項に記載の柵構造用の支柱補強具。
【請求項５】
中空柱状であり且つ軸線方向における一端部側が埋設される複数の支柱と、
前記支柱と前記支柱に支持させる支持物とを固定するための固定構造であって、前記支柱に対して前記支柱の径方向で挿通する軸部材を有する固定構造と、を備える柵構造の前記支柱を補強する柵構造用の支柱補強構造であって、
前記軸部材と前記支柱内面との間を通じて前記支柱内に挿入された一対の補強部材であって、前記支柱内における位置が、前記支柱の軸線方向、及び前記軸部材の挿通方向のそれぞれの方向に対して直交する横方向で互いの間に間隔をあけて並ぶ第一の位置から、前記挿通方向、若しくは前記挿通方向と前記横方向とに対して傾斜する方向で間隔をあけて並ぶ第二の位置に配置変更された一対の補強部材と、
前記軸部材と前記支柱内面との間を通じて、前記第二の位置に配置変更された前記一対の補強部材の間に挿入されたスペーサと、を備える、
柵構造の支柱補強構造。
【請求項６】
中空柱状であり且つ軸線方向における一端部側が埋設される複数の支柱と、
前記支柱と前記支柱に支持させる支持物とを固定するための固定構造であって、前記支柱に対して前記支柱の径方向で挿通される軸部材を有する固定構造と、を備える柵構造の前記支柱の支柱補強方法であって、
一対の補強部材を、前記軸部材と前記支柱内面との間を通じて前記支柱内に挿入した後に、該一対の補強部材を、前記支柱の軸線方向、及び前記軸部材の挿通方向のそれぞれの方向に対して直交する横方向で互いの間に間隔をあけて並ぶ第一の位置から、前記挿通方向、若しくは前記挿通方向と前記横方向とに対して傾斜する方向で間隔をあけて並ぶ第二の位置に配置変更し、
前記軸部材と前記支柱内面との間を通じて、前記第二の位置に配置変更された前記一対の補強部材の間にスペーサを挿入する、
柵構造用の支柱補強方法。
【発明の詳細な説明】
【技術分野】
【０００１】
本発明は、柵構造用の支柱を補強するための柵構造用の支柱補強具、及び支柱補強構造、並びに支柱補強方法に関する。
【背景技術】
【０００２】
従来から、例えば、ガードレール等の柵構造には、地面や基礎に立設された中空柱状の支柱と、該支柱にねじ止めされるブラケットと、該ブラケットに固定される防護板（ビーム）と、を備えたものが提案されており、また、経年劣化等により強度が低下した柵構造を補修する技術も種々提案されている。
【０００３】
例えば、特許文献１に開示されている支柱補強具（補強材）は、内部に圧力を加えることで膨張する鋼管で形成された膨張部と、該膨張部に対して着脱可能であり、且つ所定の圧力で該膨張部内に水や空気を注入する注入用アダプタと、該注入用アダプタに取り付けられている鍔部であって、外径が支柱の外径よりも大きくなるように形成された鍔部と、を備えている。
【０００４】
かかる補強材を用いて支柱を補強する場合、膨張部を支柱内に挿入して鍔部を支柱の開口端に当接させる（乗せる）。そして、注入用アダプタを通じて膨張部内に水や空気を注入し、膨張した膨張部を支柱の内面に圧着させることで支柱を補強した後に、膨張部からアダプタを取り外して支柱内から取り出している。
【先行技術文献】
【特許文献】
【０００５】
【特許文献１】特許第５８４３１９４号公報
【発明の概要】
【発明が解決しようとする課題】
【０００６】
ところで、上述の柵構造では、支柱にブラケットを固定するためのねじが、該支柱の内部を通っているため、上記従来の補強材を用いて支柱を補強する場合は、支柱からねじを外したうえで膨張部を支柱内に挿入する必要があった。
【０００７】
従って、上記従来の補強材を用いて支柱を補強する場合は、支柱からねじを取り外す作業が必要となるため作業が煩雑であるという問題があった。なお、支柱に対して防護板を直接的にねじ止めする場合においても、かかる問題が同様に起こり得る。
【０００８】
そこで、本発明は、かかる実情に鑑み、簡単な作業で柵構造用の支柱を補強できる柵構造用の支柱補強具、及び支柱補強構造、並びに支柱補強方法、を提供することを課題とする。
【課題を解決するための手段】
【０００９】
本発明の柵構造用の支柱補強具は、
中空柱状であり且つ軸線方向における一端部側が埋設される複数の支柱と、
前記支柱と前記支柱に支持させる支持物とを固定するための固定構造であって、前記支柱に対して前記支柱の径方向で挿通される軸部材を有する固定構造と、を備える柵構造の前記支柱を補強する柵構造用の支柱補強具であって、
前記軸部材と前記支柱内面との間を通じて前記支柱内に挿入可能な一対の補強部材であって、前記支柱内での位置を、前記支柱の軸線方向、及び前記軸部材の挿通方向のそれぞれの方向に対して直交する横方向で互いの間に間隔をあけて並ぶ第一の位置から、前記挿通方向、若しくは前記挿通方向と前記横方向とに対して傾斜する方向で間隔をあけて並ぶ第二の位置に配置変更可能な一対の補強部材と、
前記軸部材と前記支柱内面との間を通じて、前記第二の位置に配置変更された前記一対の補強部材の間に挿入可能なスペーサと、を備える。
【００１０】
上記構成の柵構造用の支柱補強具によれば、一対の補強部材を支柱の内周面と軸部材との間から支柱内に挿入すると、一対の補強部材の間のスペースが平面視において軸部材と重なる位置に形成されるが、一対の補強部材を第一の位置から第二の位置に配置変更することで、前記スペースを平面視において軸部材から外れた位置に形成することができる。
【００１１】
そして、軸部材と支柱内面との間を通じて前記スペース内にスペーサを挿入すると、該スペーサにより一対の補強部材の間隔が保たれ、これにより、支柱が補強される。
【００１２】
このように、前記柵構造用の支柱補強具は、支柱に固定構造の軸部材を取り付けたまま支柱を補強できる。
【００１３】
本発明の柵構造用の支柱補強具において、
前記補強部材には、該補強部材の前記支柱内への挿入方向における後方側に向かって延出する延出操作部を有するようにしてもよい。
【００１４】
かかる構成によれば、延出操作部を掴んだまま支柱内に補強部材を挿入でき、また、支柱内の補強部材を第一の位置から第二の位置に配置変更できるため、補強部材の設置作業を容易に行うことができるようになる。
【００１５】
本発明の柵構造用の支柱補強具において、
前記延出操作部には、前記一対の補強部材が前記第一の位置から前記第二の位置に配置変更された状態で、前記軸部材上に掛止される掛止部が設けられていてもよい。
【００１６】
このようにすれば、一対の補強部材が第一の位置から第二の位置に切り替えられると、掛止部が軸部材上に掛止されるため、一対の補強部材の間にスペーサを挿入できる状態を保ち易くすることができる。
【００１７】
本発明の柵構造用の支柱補強具は、
前記一対の補強部材の間において、前記スペーサを前記支柱の軸線方向でガイドするためのガイド構造を備えていてもよい。
【００１８】
かかる構成によれば、ガイド構造によって、スペーサを一対の補強部材の間で前記軸線方向に沿って移動させることができるため、スペーサを前記軸線方向に沿う真っ直ぐな姿勢で一対の補強部材の間に挿入できる。従って、前記柵構造用の支柱補強具は、補強後の支柱の強度を調整し易くなるため、補強後の支柱の強度を所望する強度に合わせ易くなる。
【００１９】
本発明の柵構造の支柱補強構造は、
中空柱状であり且つ軸線方向における一端部側が埋設される複数の支柱と、
前記支柱と前記支柱に支持させる支持物とを固定するための固定構造であって、前記支柱に対して前記支柱の径方向で挿通する軸部材を有する固定構造と、を備える柵構造の前記支柱を補強する柵構造用の支柱補強構造であって、
前記軸部材と前記支柱内面との間を通じて前記支柱内に挿入された一対の補強部材であって、前記支柱内における位置が、前記支柱の軸線方向、及び前記軸部材の挿通方向のそれぞれの方向に対して直交する横方向で互いの間に間隔をあけて並ぶ第一の位置から、前記挿通方向、若しくは前記挿通方向と前記横方向とに対して傾斜する方向で間隔をあけて並ぶ第二の位置に配置変更された一対の補強部材と、
前記軸部材と前記支柱内面との間を通じて、前記第二の位置に配置変更された前記一対の補強部材の間に挿入されたスペーサと、を備える。
【００２０】
上記構成の柵構造用の支柱補強構造は、一対の補強部材を支柱の内周面と軸部材との間から支柱内に挿入し、さらに、第一の位置から第二の位置に配置変更することで平面視において軸部材から外れた位置に形成した一対の補強部材の間のスペースにスペーサを挿入することで構築できるため、軸部材を支柱に取り付けたまま、該支柱補強構造を構築する作業、すなわち、支柱を補強することができる。
【００２１】
本発明の柵構造用の支柱補強方法は、
中空柱状であり且つ軸線方向における一端部側が埋設される複数の支柱と、
前記支柱と前記支柱に支持させる支持物とを固定するための固定構造であって、前記支柱に対して前記支柱の径方向で挿通される軸部材を有する固定構造と、を備える柵構造の前記支柱の支柱補強方法であって、
一対の補強部材を、前記軸部材と前記支柱内面との間を通じて前記支柱内に挿入した後に、該一対の補強部材を、前記支柱の軸線方向、及び前記軸部材の挿通方向のそれぞれの方向に対して直交する横方向で互いの間に間隔をあけて並ぶ第一の位置から、前記挿通方向、若しくは前記挿通方向と前記横方向とに対して傾斜する方向で間隔をあけて並ぶ第二の位置に配置変更し、
前記軸部材と前記支柱内面との間を通じて、前記第二の位置に配置変更された前記一対の補強部材の間にスペーサを挿入する。
【００２２】
上記構成の柵構造用の支柱補強方法によれば、一対の補強部材を支柱の内周面と軸部材との間から支柱内に挿入した後、一対の補強部材を第一の位置から第二の位置に配置変更すると、一対の補強部材の間のスペースが平面視において軸部材から外れた位置に形成される。そして、軸部材と支柱内面との間を通じてかかるスペース内にスペーサを挿入すると、該スペーサにより一対の補強部材の間隔が保たれ、これにより、支柱が補強される。
【００２３】
このように、前記柵構造用の支柱補強方法は、支柱に固定構造の軸部材を取り付けたまま支柱を補強できる。
【発明の効果】
【００２４】
以上のように、本発明の柵構造用の支柱補強具、及び支柱補強構造、並びに支柱補強方法によれば、簡単な作業で柵構造用の支柱を補強できる、という優れた効果を奏し得る。
【図面の簡単な説明】
【００２５】
【図１】図１は、本発明の一実施形態に係る支柱補強具の設置対象とする柵構造の外観図である。
【図２】図２は、図１に示す柵構造の部分断面図である。
【図３】図３は、図１のＩＩＩ−ＩＩＩ線における柵構造の部分断面図である。
【図４】図４は、同実施形態に係る支柱補強具の補強部材の斜視図である。
【図５】図５は、同実施形態に係る支柱補強具のスペーサの斜視図である。
【図６】図６は、同実施形態に係る支柱補強方法の説明図であって、支柱に一対の補強部材を挿入した直後の状態の説明図である。
【図７】図７は、同実施形態に係る支柱補強方法の説明図であって、支柱に挿入した一対の補強部材を、第一の位置から第二の位置に配置変更した状態の説明図である。
【図８】図８は、同実施形態に係る支柱補強方法の説明図であって、一対の補強部材の間にスペーサを挿入した状態の説明図である。
【図９】図９は、本発明の他実施形態に係る支柱補強具における、補強部材の斜視図である。
【図１０】図１０は、同実施形態に係る支柱補強具を支柱に設置した状態の説明図である。
【図１１】図１１は、本発明の別の実施形態に係る支柱補強具における、補強部材の斜視図である。
【図１２】図１２は、同実施形態に係る支柱補強具における、スペーサの斜視図である。
【図１３】図１３は、同実施形態に係る支柱補強具の使用状態の説明図であって、支柱に設置した状態の説明図である。
【図１４】図１４は、同実施形態に係る支柱補強具の説明図であって、支柱に一対の補強部材を挿入した直後の状態の説明図である。
【図１５】図１５は、同実施形態に係る支柱補強具の説明図であって、支柱に挿入した一対の補強部材を、第一の位置から第二の位置に配置変更した後に、該一対の補強部材の間にスペーサを挿入した状態の説明図である。
【発明を実施するための形態】
【００２６】
以下、本発明の一実施形態に係る柵構造用の支柱補強具、及び支柱補強構造、並びに支柱補強方法について添付図面を参照しつつ説明を行う。
【００２７】
柵構造とは、所定の間隔毎に立設された複数の支柱と、該支柱に支持させる支持物と、該支持物を支柱に固定する固定構造とで構成されている。なお、本実施形態では、柵構造がガードレールであり、支持物が複数の支柱に掛け渡された長尺なビームであることを前提として以下の説明を行うこととする。
【００２８】
図１に示すように、柵構造５の支柱５０は、中空柱状（本実施形態では、円筒状）であり、下端部が地面Ｇに築かれた基礎Ｂに埋設されている。なお、支柱５０の下端側の内部は空である場合もあるし、土等が詰まっている場合もある。
【００２９】
固定構造５１は、ビーム５２を支柱５０の上端側で受けるブラケット５１０と、支柱５０の径方向において、支柱５０とブラケット５１０とに挿通する軸部材５１１と、を有する。
【００３０】
ブラケット５１０は、支柱５０の外面に固定されている。
【００３１】
軸部材５１１は、雄ねじ部材としてのボルトと、該ボルトに螺合させるナットとで構成されている。また、軸部材５１１は、ボルトの頭部とナットとによって、支柱５０とブラケット５１０とを外側（ボルトの軸線方向における外側）から締結するように構成されている。
【００３２】
なお、本実施形態では、支柱５０の軸線方向を高さ方向、支柱５０とブラケット５１０とに対して軸部材５１１を挿通する方向を前後方向、高さ方向と前後方向とに直交する方向を横方向と称する。
【００３３】
柵構造用の支柱補強具１（以下、支柱補強具１と称する）は、図２，３に示すように、軸部材５１１と支柱５０の内面との間を通じて支柱５０内に挿入可能な一対の補強部材２であって、支柱５０内での位置を、支柱５０の軸線方向、及び支柱５０（本実施形態では支柱５０及びブラケット５１０）に対する軸部材５１１の挿通方向のそれぞれの方向に対して直交する横方向で互いの間に間隔をあけて並ぶ第一の位置から、挿通方向で間隔をあけて並ぶ第二の位置に配置変更可能な一対の補強部材２と、軸部材５１１と支柱５０の内面との間を通じて、第二の位置に配置変更された一対の補強部材２の間に挿入可能なスペーサ３と、一対の補強部材２の間へのスペーサ３の挿入操作をガイドするためのガイド構造４（図６参照）と、を備えている。
【００３４】
補強部材２は、図４に示すように、長尺な補強部材本体部２０と、該補強部材本体部２０から、補強部材２を支柱５０に挿入する挿入方向における後方側に延出する延出操作部２１と、延出操作部２１に設けられた掛止部２２であって、軸部材５１１上に掛止可能な掛止部２２と、を有する。
【００３５】
補強部材本体部２０には、支柱５０の内面に対向配置する外側対向面２０ａと、他の補強部材２の補強部材本体部２０に向けて配置される内側対向面２０ｂと、が含まれている。
【００３６】
また、本実施形態に係る補強部材本体部２０は、中空の柱状、より具体的には多角筒状である筒状部２００と、該筒状部２００内に設けられる支持部２０１とを有しており、筒状部２００の外面により、補強部材本体部２０の外側対向面２０ａと内側対向面２０ｂとが構成されている。なお、本実施形態では、外側対向面２０ａが角部を有する屈曲面となっており、内側対向面２０ｂが全域に亘って平らな平面となっている。
【００３７】
ここで、補強部材本体部２０は、前記挿入方向における前端側が支柱５０の埋設箇所の表面（地際）よりも下方側に位置し、前記挿入方向における後端側が地際よりも上方側に位置するようにして、支柱５０内に挿入される。そのため、支柱５０内に挿入（設置）された補強部材本体部２０は、地際の上下に跨るように配置されている。
【００３８】
延出操作部２１は、長尺であり且つ長手方向における一端部が補強部材本体部２０内に固定されている。そのため、延出操作部２１の長手方向における他端部は、補強部材本体部２０の後方側に位置している。
【００３９】
また、延出操作部２１には、補強部材本体部２０の横幅方向において、該補強部材本体部２０の中央部よりも一方側にずれた場所に位置し、且つ軸部材５１１の側部に当接可能な横当部２１０を有する。また、横当部２１０は、補強部材本体部２０の長手方向に沿って延びている。
【００４０】
掛止部２２は、延出操作部２１の横当部２１０を基準として、補強部材本体部２０の横幅方向における該補強部材本体部２０の中央部を境とする他方側に向かって延びている。
【００４１】
なお、上述のように、延出操作部２１の横当部２１０は、前記横幅方向において補強部材本体部２０の中央部よりも一方側にずれた場所に位置しているため、掛止部２２の基端も同様に、前記横幅方向において補強部材本体部２０の中央部よりも一方側にずれた場所に位置している。一方、掛止部２２の先端は、前記横幅方向において補強部材本体部２０の中央部よりも他方側にずれた場所に位置している。そのため、掛止部２２は、前記横幅方向における補強部材本体部２０の一方側から他方側に亘って延びている。
【００４２】
そして、掛止部２２の下端部（補強部材本体部２０側の端部）は、図３に示すように、補強部材本体部２０の横幅方向に沿って延び、且つ軸部材５１１上に載置可能な載置部２２０となっている。また、載置部２２０は、一対の補強部材２が第一の位置から第二の位置に配置変更された状態で、軸部材５１１上に載置されるように構成されている。そのため、軸部材５１１上に載置部２２０を載置することで、支柱５０内に挿入した補強部材２を軸部材５１１に吊下することができる。
【００４３】
スペーサ３は、一対の補強部材２の間に挿入された状態で、該一対の補強部材２のそれぞれの内側対向面２０ｂに当接させるように構成されている。なお、スペーサ３は、一対の補強部材２の間に挿入された時点で一対の補強部材２のそれぞれの内側対向面２０ｂに当接するように構成されていてもよいし（図８参照）、一対の補強部材２の間に挿入された後に（例えば、支柱５０に外部から衝撃が加わったときに）、一対の補強部材２のそれぞれの内側対向面２０ｂに当接するように構成されていてもよい。
【００４４】
本実施形態に係るスペーサ３は、図５に示すように、長尺であり、且つ平行な姿勢で互いの間に間隔をあけて間対向する長尺な一対の長板部３０と、該長板部３０のそれぞれに連設されている連設部３１と、を備えている。
【００４５】
一対の長板部３０は、長方形状であり、板面を対向させた状態で並んでいる。また、連設部３１も長方形状となっており、一対の長板部３０のそれぞれの長辺、より具体的には、一対の長板部３０が並ぶ方向で対向している一方の長板部３０の長辺と他方の長板部３０の長辺とに連続している。そのため、本実施形態のスペーサ３はコの字状となっている。
【００４６】
スペーサ３は、一対の補強部材２の間に挿入された状態においては、一対の長板部３０のうちの一方の外面が一方の補強部材２の内側対向面２０ｂに対向配置され、他方の長板部３０の外面が他方の補強部材２の内側対向面２０ｂに対向配置される。
【００４７】
ガイド構造４は、図４に示すように、一対の補強部材２の間に挿入するスペーサ３を前記高さ方向でガイドする挿入ガイド部４０と、一対の補強部材２の間へのスペーサ３の差し込み位置（前記高さ方向での位置）を決定するための位置決部４１と、を有する。
【００４８】
本実施形態の挿入ガイド部４０は、内側対向面２０ｂから突出する凸部によって構成されている。
【００４９】
また、内側対向面２０ｂの横幅方向（補強部材本体部２０の横幅方向）における一方側には、複数の挿入ガイド部４０を補強部材本体部２０の軸線方向に沿って一列に並べて形成した一群の挿入ガイド部４０が、２列形成されており、内側対向面２０ｂの横幅方向（補強部材本体部２０の横幅方向）における他方側にもまた、複数の挿入ガイド部４０を補強部材本体部２０の軸線方向に沿って一列に並べた一群の挿入ガイド部４０が、２列形成されている。
【００５０】
内側対向面２０ｂの横幅方向における一方側に形成されている２つの一群の挿入ガイド部４０は、長板部３０の横幅よりも広い間隔をあけて前記横幅方向で並んでおり、内側対向面２０ｂの横幅方向における他方側に形成されている２つの一群の挿入ガイド部４０もまた、長板部３０の横幅よりも広い間隔をあけて前記横幅方向で並んでいる。
【００５１】
位置決部４１は、内側対向面２０ｂに突設され、且つ挿入ガイド部４０よりも前方側（前記挿入方向における前方側）に形成されている。そのため、長板部３０を内側対向面２０ｂに沿わせた状態でスペーサ３を挿入ガイド部４０の間に挿入した際、該スペーサ３の先端が位置決部４１に当接することで、補強部材２の間でのスペーサ３の位置が定まるようになっている。
【００５２】
本実施形態に係る支柱補強具１の構成は以上の通りである。続いて、本実施形態に係る支柱補強具１を用いた柵構造用の支柱補強方法を説明する。
【００５３】
支柱補強方法では、一対の補強部材２を、軸部材５１１と支柱５０の内面との間を通じて支柱５０内に挿入する（図６参照）。
【００５４】
一方の補強部材２は、外側対向面２０ａが支柱５０の内面に対向するように補強部材本体部２０の向きを整えた後、一方の挿入領域を通じて該補強部材本体部２０を支柱５０内に挿入する。また、他方の補強部材２は、外側対向面２０ａが支柱５０の内面に対向するように補強部材本体部２０の向きを整えた後、他方の挿入領域を通じて該補強部材本体部２０を支柱５０内に挿入する。
【００５５】
これにより、支柱５０内で軸部材５１１よりも下方側に配置された一対の補強部材本体部２０は、内側対向面２０ｂを互いに対向させた状態で横並び（前記横方向で横並び）に配置される。
【００５６】
なお、本実形態では、延出操作部２１を掴んで補強部材本体部２０の向きや姿勢を変えたり、支柱５０に挿入する操作を行えばよい。
【００５７】
続いて、一対の補強部材２を、支柱５０の軸線方向、及び軸部材５１１の挿通方向のそれぞれの方向に対して直交する横方向で互いの間に間隔をあけて並ぶ第一の位置から、前記挿通方向で間隔をあけて並ぶ第二の位置に配置変更する（図７参照）。このようにすると、支柱５０を平面視した状態における軸部材５１１の両側に、一対の補強部材２の間のスペース（すなわち、スペーサ３を挿入可能な挿入スペース）が形成される。
【００５８】
そして、該挿入スペース内に、一対のスペーサ３を挿入する（図８参照）。このとき、一方のスペーサ３は、一方の挿入領域を通じて挿入スペース内に挿入され、他方のスペーサ３は、他方の挿入領域を通じて挿入スペース内に挿入される。
【００５９】
また、挿入スペース内に挿入されたスペーサ３は、挿入ガイド部４０にガイドされて前記高さ方向に沿って真っすぐに挿入され、先端が位置決部４１に当接することで、一対の補強部材２の間へのスペーサ３の差し込み深さ（前記高さ方向での位置）が定まる。
【００６０】
このようにして、柵構造５の支柱５０に対して、一対の補強部材２を、軸部材５１１と支柱５０の内面との間を通じて支柱５０内に挿入した後に、該一対の補強部材２を、支柱５０の軸線方向、及び軸部材５１１の挿通方向のそれぞれの方向に対して直交する横方向で互いの間に間隔をあけて並ぶ第一の位置から、前記挿通方向で間隔をあけて並ぶ第二の位置に配置変更し、軸部材５１１と支柱５０の内面との間を通じて、第二の位置に配置変更された一対の補強部材２の間にスペーサ３を挿入した補強構造が構築される。
【００６１】
また、補強構造は、一対の補強部材本体部２０が、外側対向面２０ａを支柱５０の内周面に当接させた状態で地際の上下に跨るようにして支柱５０内に挿入され、且つ一対の補強部材本体部２０の間にはスペーサ３が挿入されているため、支柱５０の根元の折損に対する強度を高めることができる。
【００６２】
以上のように、本実施形態に係る支柱補強具１によれば、一対の補強部材２を支柱５０の内周面と軸部材５１１との間から支柱５０内に挿入すると、一対の補強部材２の間のスペースが平面視において軸部材５１１と重なる位置に形成されるが、軸部材５１１と支柱５０の内面との間から支柱５０に挿入した一対の補強部材２を第一の位置から第二の位置に配置変更可能であるため、一対の補強部材２を第一の位置から第二の位置に配置変更することで、スペースを平面視において軸部材５１１から外れた位置に形成することができる。
【００６３】
そして、軸部材５１１と支柱５０の内面との間を通じてスペース内にスペーサ３を挿入すると、該スペーサ３により一対の補強部材２の間隔が保たれ、これにより、支柱５０が補強される。
【００６４】
このように、柵構造用の支柱補強具１は、支柱５０にビーム５２を固定している軸部材５１１を支柱５０とビーム５２とに取り付けたまま支柱５０を補強できるため、簡単な作業で柵構造用の支柱５０を補強できる、という優れた効果を奏し得る。また、支柱補強構造、及び支柱補強方法においても支柱補強具１と同様に、簡単な作業で柵構造用の支柱５０を補強できる、という優れた効果を奏し得る。
【００６５】
また、補強部材２には、該補強部材２の前記支柱５０内への挿入方向における後方側に向かって延出する延出操作部２１が設けられているため、作業者が延出操作部２１を掴んだまま支柱５０内に補強部材２を挿入でき、また、支柱５０内の補強部材２を第一の位置から第二の位置に配置変更できるため、補強部材２の設置作業を容易に行うことができるようになる。
【００６６】
さらに、延出操作部２１には、一対の補強部材２が第一の位置から第二の位置に配置変更された状態で、軸部材５１１上に掛止される掛止部２２が設けられていているため、一対の補強部材２が第一の位置から第二の位置に切り替えた状態で掛止部２２を軸部材５１１上に掛止することによって、一対の補強部材２の間にスペーサ３を挿入できる状態を保ち易くすることができる。
【００６７】
また、ガイド構造４が、一対の補強部材２の間でスペーサ３を支柱５０の軸線方向でガイドする挿入ガイド部４０を有するため、一対の補強部材２の間でスペーサ３を前記軸線方向に沿って移動させ易くなる。従って、スペーサ３を前記軸線方向に沿う真っ直ぐな姿勢で一対の補強部材２の間に挿入し易くすることで、補強後の支柱５０の強度を簡単に調整できるようになるため、補強後の支柱５０の強度を所望する強度に合わせ易くなる。
【００６８】
なお、本発明の支柱補強具、支柱補強方法、支柱補強構造は、上記実施形態に限定されるものではなく、本発明の要旨を逸脱しない範囲内において種々の変更を加え得ることは勿論である。
【００６９】
上記実施形態では、支柱補強具１の設置対象となる支柱５０が基礎Ｂに立設されていたが、この構成に限定されない。支柱補強具１の設置対象となる支柱５０は、例えば、地面や舗装された路面等に立設されていてもよい。
【００７０】
上記実施形態では、支柱５０に支持させる支持物がビーム５２であることを前提として支柱補強具１等の説明を行ったが、例えば、支柱５０に支持させる支持物は、パネルや、ケーブル、パイプ等であってもよい。すなわち、柵構造５は、ガードレールとは別種の柵構造（例えば、横断転落防止柵等）であってもよい。
【００７１】
上記実施形態において、固定構造５１は、ブラケット５１０を介して支持物を支柱５０に固定するように構成されていたが、この構成に限定されない。例えば、固定構造５１は、ブラケット５１０を介さずに支持物を支柱５０に固定するように構成されていてもよい。この場合、軸部材５１１を支持物と支柱５０とに挿通することで、支柱５０に対する支持物の設置位置を決定できるようにしてもよい。
【００７２】
上記実施形態において、スペーサ３は、長手方向に直交する方向での断面形状がコの字状となるように形成されていたが、この構成に限定されない。スペーサ３は、例えば、角柱状や、角筒状であってもよい。
【００７３】
上記実施形態において、補強部材本体部２０の外側対向面２０ａは、角部を有する屈曲面となっていたが、この構成に限定されない。例えば、補強部材本体部２０の外側対向面２０ａは、図９に示すように、円弧状の湾曲面であってもよい。この場合、図１０に示すように、補強部材本体部２０の外側対向面２０ａ全体を支柱５０の内周面に当接させることが可能となる。
【００７４】
上記実施形態において、連設部３１は、各長板部３０の長辺に連続していたが、この構成に限定されない、例えば、連設部３１は、各長板部３０の板面に連続していてもよい。
【００７５】
上記実施形態において、挿入ガイド部４０は、内側対向面２０ｂに形成された突起により構成されていたが、この構成に限定されない。例えば、挿入ガイド部４０は、一対の補強部材２の間に挿入されたスペーサ３を前記高さ方向でガイドすることができれば、補強部材本体部２０の軸線方向に沿って真っすぐに延びる溝等によって構成されていてもよい。
【００７６】
上記実施形態では、前記挿通方向で並ぶ一対の補強部材２の位置を第二の位置として説明したが、この構成に限定されない。例えば、上記実施形態では、前記挿通方向と前記横方向とに対して傾斜する方向を一対の補強部材２の第二の位置としてもよい。
【００７７】
上記実施形態において、一対の補強部材２は、別体物で構成されていたが、例えば、延出操作部２１同士や、掛止部２２同士を接続して一体物としてもよい。
【００７８】
上記実施形態において、補強部材本体部２０は、中空の柱状（より具体的には多角筒状）の筒状部２００を有するように構成されていたが、この構成に限定されない。例えば、補強部材本体部２０は、図１１乃至図１５に示すように、湾曲、若しくは屈曲した板状部２０２を有するように構成されていてもよい。また、図１１に図示している補強部材２では、掛止部２２の先端が下方側に向かって垂下しており、さらに、挿入ガイド部４０が溝状に形成されている。
【００７９】
なお、図１１乃至図１５に示す補強部材本体部２０では、板状部２０２の外側の一面（外周面）が支柱５０の内面に対向配置される外側対向面２０ａとなり、板状部２０２の内側の一面（内周面）が他の補強部材２の補強部材本体部２０に向けて配置される内側対向面２０ｂとなっている。
【００８０】
上記実施形態では、一対の長板部３０が、板面を対向させた状態で並んでいたが、この構成に限定されない。例えば、図１２に示すように、一対の長板部３０は、それぞれの幅方向を同方向に揃えた姿勢で横並びに配置されていてもよい。また、この場合においては、連設部３１が、一対の長板部３０が並ぶ方向に対して直交する方向において屈曲、又は湾曲していてもよい。
【符号の説明】
【００８１】
１…支柱補強具、２…補強部材、３…スペーサ、４…ガイド構造、５…柵構造、２０…補強部材本体部、２０ａ…外側対向面、２０ｂ…内側対向面、２１…延出操作部、２２…掛止部、３０…長板部、３１…連設部、４０…挿入ガイド部、４１…位置決部、５０…支柱、５２…ビーム、２００…筒状部、２０１…支持部、２０２…板状部、２１０…横当部、２２０…掛止面、５１０…ブラケット、５１１…軸部材、Ｂ…基礎、Ｇ…地面
【図１】
2019218757.tif 000003
【図２】
2019218757.tif 000004
【図３】
2019218757.tif 000005
【図４】
2019218757.tif 000006
【図５】
2019218757.tif 000007
【図６】
2019218757.tif 000008
【図７】
2019218757.tif 000009
【図８】
2019218757.tif 000010
【図９】
2019218757.tif 000011
【図１０】
2019218757.tif 000012
【図１１】
2019218757.tif 000013
【図１２】
2019218757.tif 000014
【図１３】
2019218757.tif 000015
【図１４】
2019218757.tif 000016
【図１５】
2019218757.tif 000017